(57)【要約】【課題】編集可能な複数の入力画像を操作者が表示装置上で見て編集を行うことができるようにすることを目的とする。【解決手段】複数の画像を読込んで、読込んだ画像を表示装置にインデックス表示し、該インデックス表示した画像のうち一連の画像の天地が逆転しているときに前記一連の画像を１度の入力で前記一連の画像の天地を反転させて表示することを特徴とする画像表示方法。【選択図】　　図８
2004056782.tif 000002
【特許請求の範囲】
【請求項１】
複数の画像を読込んで、読込んだ画像を表示装置にインデックス表示し、該インデックス表示した画像のうち一連の画像の天地が逆転しているときに前記一連の画像を１度の入力で前記一連の画像の天地を反転させて表示することを特徴とする画像表示方法。
【請求項２】
複数の画像を読込んで、読込んだ画像を表示装置にインデックス表示し、該インデックス表示の中から編集のために画像を選択させる際に、その画像をタッチ選択させることとして、タッチした領域により天地変更の指示を同時に行うことを特徴とする画像編集方法。
【請求項３】
複数の画像を読込んで、読込んだ画像を表示装置にインデックス表示し、その中から画像を選択させ、該選択した画像に各種補正を行う際に、原画像と、補正操作を行った後の画像とを同時に表示することを特徴とする画像表示方法。
【発明の詳細な説明】
【０００１】
【産業上の利用分野】
本発明は、複数の入力画像に基づいて編集を行う画像編集方法及び画像表示方法に関する。
【０００２】
【従来の技術】
従来から、複数の画像を入力し、所定のレイアウトに従って編集して出力するようにしたものがある（特公平４−２１３８３号公報参照）。
【０００３】
【発明が解決しようとする課題】
しかしながら、このものは、入力ドラムより画像（原稿）を入力し、編集した画像を出力ドラムに出力するものであり、またディスプレイには編集後の画像のみを出力するものであるため、編集に際して、実際に読込んだ入力画像を見ることができない。このため、予め入力画像について整理し、構成を考えた上で作業をする必要があり、作業は熟練を要し、専門的になるという問題点があった。
【０００４】
本発明は、このような実情に鑑み、編集可能な複数の入力画像を操作者が表示装置上で見て編集を行うことができるようにすることを目的とする。
【０００５】
【課題を解決するための手段】
このため、本発明は、複数の画像を読込んで、読込んだ画像を表示装置にインデックス表示し、該インデックス表示した画像のうち一連の画像の天地が逆転しているときに前記一連の画像を１度の入力で前記一連の画像の天地を反転させて表示することを特徴とする画像表示方法を提供する。
【０００６】
また、複数の画像を読込んで、読込んだ画像を表示装置にインデックス表示し、該インデックス表示の中から編集のために画像を選択させる際に、その画像をタッチ選択させることとして、タッチした領域により天地変更の指示を同時に行うことを特徴とする画像編集方法を提供する。
【０００７】
また、複数の画像を読込んで、読込んだ画像を表示装置にインデックス表示し、その中から画像を選択させ、該選択した画像に各種補正を行う際に、原画像と、補正操作を行った後の画像とを同時に表示することを特徴とする画像表示方法を提供する。
【０００８】
【作用】
上記の画像編集方法においては、編集可能な複数の入力画像を操作者が表示装置上で見て、選択し、加工や修正を含む編集を行うことができ、インデックス表示による画像を見ながらの編集であるため、作業が容易で、効率的となる。また、使用する画像を加工、修正する場合でも、実際に表示されたものに対して行うので、操作者の意図と結果にずれがない。
【０００９】
ここで、例えば現像済みの写真フィルムから画像を読込んだ場合で、フィルムを逆装着した場合や、タテ位置撮影の方向が異なる場合などは、編集時に画像の天地を修正する必要がある。そこで、インデックス表示した画像のうち一連の画像の天地が逆転している場合に、１度の操作で直せれば、スピードアップになる。選択する画像のみを直せばよいという場合は、画像の選択と天地変更の指示とを同時に行わせる。
【００１０】
また、選択した画像に各種補正を行う際に、原画像（読込んだ画像で、トリミング等無しのもの）と、補正操作を行った後の画像とを同時に表示することにより、希望する最適な補正量を容易に得られる。
【００１１】
【実施例】
以下に本発明の実施例を説明する。尚、現像済みの写真フィルムから複数の画像を読込んで編集する例で説明する。図１はシステム全体の外観図である。フィルム読取装置を兼ねる画像編集装置１のテーブル上にはカセット挿入口２と操作用タッチパネル３とが設けられている。また、入力画像表示用の第１ＣＲＴ４と出力画像表示用の第２ＣＲＴ５とが並べられて設けられている。そして、この画像編集装置１には、反射原稿を読込むためのスキャナー６を備えるプリンター７を接続可能である。
【００１２】
図２はフィルム読取装置部分の構造図である。この例では、６駒ずつの連続した現像済みネガフィルム１０がフィルムホルダ１２に保持され、最大７枚のフィルムホルダ１２がカセット２０に収納される。そして、このカセット２０がカセット挿入口２に挿入される。フィルムホルダ１２は、図３に示すように、下枠１３と、軸１４を介して蝶番式に取付けられた上枠１５とを有し、フィルム１０を下枠１３と上枠１５との間に挟み込んで保持する。もちろん、下枠１３と上枠１５にはフィルム１０の駒数分（６個）の窓１６が形成されている。
【００１３】
カセット２０は、前面開放の箱体で、左右の側板にそれぞれ７段の保持溝２１，２１を形成してある。そして、フィルムホルダ１２の両端部を左右の保持溝２１，２１に案内させて、最大７枚のフィルムホルダ１２をそれらのフィルム面を互いに平行にして積層した状態で収納しそれぞれをフィルム面と平行方向に引出し可能にしてある。
【００１４】
尚、この例では、ネガフィルム用のフィルムホルダ１２をカセット２０に収納した例を示し、６駒×７ホルダで、最大４２駒を収納できるが、ポジフィルム用に、１駒ごとのポジフィルムを５枚並べて保持するポジフィルム用のフィルムホルダを用いれば、５駒×７ホルダで、最大３５駒を収納できる。もちろん、ネガフィルム用のフィルムホルダとポジフィルム用のフィルムホルダとを混在させて収納してもよい。
【００１５】
カセット挿入口２に連なるカセット受け２２内のカセット２０から任意のフィルムホルダ１２を選択して読取位置に搬送するために、カセット受け２２の左右の側方にそれぞれフィルムホルダ搬送装置２３，２３が設けられている。フィルムホルダ搬送装置２３は、搬送するフィルムホルダ１２の収納位置まで昇降機構により上下動して保持アーム２４によりフィルムホルダ１２を保持し、更にスライド機構により前後動して保持アーム２４により保持したフィルムホルダ１２を副走査テーブル２５上に搬送する。
【００１６】
副走査テーブル２５はフィルムホルダ搬送装置２３により搬送されたフィルムホルダ１２を載置するもので、フィルムの駒部分には穴２６があいている。そして、副走査テーブル２５は、フィルムホルダ搬送装置２３の搬送方向と直交する方向に延びる２本のガイドレール２７，２８に案内されて、駆動ユニット２９により駆動されるベルト３０により往復動するようになっている。
【００１７】
副走査テーブル２５の下方には、ランプ３１、集光ミラー３２及び集光レンズ３３が設けられ、ランプ３１の光が集光ミラー３２及び集光レンズ３３によって集められて、フィルムホルダ１２に保持されたフィルム１０に照射されるようになっている。そして、副走査テーブル２５の上方には、フィルム１０を透過した光の光路上に、読取レンズ系（絞りやフィルタを含む）３４を介してＣＣＤラインセンサ３５が設けられている。ＣＣＤラインセンサ３５は、副走査テーブル２５の往復動方向（副走査方向）に直交する方向（主走査方向）に多数の画素（光電変換素子）を配列したものである。
【００１８】
読取動作について説明すれば、フィルムホルダ１２が収納されたカセット２０がカセット挿入口２にセットされた後、指定されたフィルムホルダ１２を搬送装置２３によりカセット２０から副走査テーブル２５上へ搬送する。この後、駆動ユニット２９により副走査テーブル２５を移動させて、フィルムホルダ１２を送りつつ、ＣＣＤラインセンサ３５の信号を読込んで、当該フィルムホルダ１２の全ての駒の画像情報又は指定された駒の画像情報を得る。これには、ラフスキャンとファインスキャンとがある。ラフスキャンとは、インデックス表示等のため、高速度（例えば８倍速）で粗く読取ることをいい、ファインスキャンとは、プリンター７等への最終出力のため、標準速度で読取ることをいうものとする。
【００１９】
読取られた画像情報は図３１及び図３２に示す画像処理部に送られ、補正、編集処理され、表示、プリント出力される。読取りが終了すると、駆動ユニット２９により副走査テーブル２５を逆方向に移動させて、初期位置に戻す。そして、副走査テーブル２５上のフィルムホルダ１２を搬送装置２３により再びカセット２０の元の位置に戻す。
【００２０】
次にこの画像編集装置１における編集作業の流れを図４〜図３０を参照して説明する。尚、図４〜図３０において、「ＬＣＤ」の欄には液晶式タッチパネル３の画面を示し、「ＣＲＴ１」の欄には第１ＣＲＴ４の画面を示し、「ＣＲＴ２」の欄には第２ＣＲＴ５の画面を示している。この画像編集装置１を起動すると、図４に示すように、タッチパネルの画面に、インデックスプリント（５１）、アルバム（５２）、フリーレイアウト（５３）、ポストカード（５４）、カレンダー（５５）のモード選択メニューがその選択ボタンと共にアイコン表示される。
【００２１】
そして、いずれかが選択されると、タッチパネルの画面によりカセット挿入の指示がなされ、挿入後のスタートボタンの操作により、カセットからの読取りが開始される。このときは、カセット２０内の複数のフィルムホルダ１２を次々と副走査テーブル２５上に搬送して、全てのフィルムホルダ１２から全ての駒の画像を高速度で粗く読取る（ラフスキャン）。
【００２２】
このラフスキャンは、フィルムホルダ１２毎に２回行い、１回目のものをプリスキャンといい、２回目のものをインデックススキャンと呼ぶ。すなわち、１回目に８倍速のプリスキャンで画像データを得て、これに基づいて、ヒストグラム演算器８２（図３２）を通して、補正データを作成し、２回目の８倍速のインデックススキャンで補正データにより補正しつつ画像データを得るのである。ラフスキャンで得られた画像データはフレームメモリ８３（図３２）に記憶され、編集、表示に用いられる。
【００２３】
画面上では、プリスキャン毎に、図５に示すように、タッチパネル上にプリスキャン中であることを表示すると共に、第１ＣＲＴ上にフィルムホルダ１２毎にプリスキャンした画像を横に並べてインデックス表示する。そして、インデックススキャン毎に、図６に示すように、タッチパネル上にインデックススキャン中であることを表示すると共に、第１ＣＲＴ上にインデックススキャンして補正した画像を次々と上書きする。
【００２４】
このようにして、最大で６駒×７ホルダ＝４２駒（フレーム）の画像が読取られると、第１ＣＲＴは図７に示すようなインデックス表示状態となる。また、写真フィルムからの画像の他、反射原稿からの画像を入力可能であり、タッチパネル上で反射原稿の読込みをする旨の入力をすると、４３フレーム以降に反射原稿の画像が読取られ、インデックス表示される。
【００２５】
インデックス表示の完了後、各モードが実行される。インデックスプリント・モードの場合は、先ず図８の状態になり、タッチパネルがインデックスフォーマット（５６，５７）の選択画面になる。第１ＣＲＴ上にはインデックス表示がなされているが、このとき横一列毎に天地反転用のボタン（５８）が設定されており、いずれかのボタンに触れることにより対応する列の天地を反転することが可能である。逆送フィルムあるいは逆装着などの場合は少なくとも１ホルダ分が全て倒立になっているので、１度の操作で全て直せればスピードアップになる。
【００２６】
次に図９の状態になり、タッチパネルがテンキー（５９）などによるインデックスプリントの枚数設定画面になる。そして、第２ＣＲＴ上にはプリントイメージ（選択されたフォーマット）が表示される。そして、プリントスタートボタン（６０）の操作により、インデックスプリントのためのファインスキャンが開始される。
【００２７】
このときは、カセット２０内の複数のフィルムホルダ１２を次々と副走査テーブル２５上に搬送して、全てのフィルムホルダ１２から全ての駒の画像を標準速度で読取り、データ圧縮しつつ、インデックスプリントのための画像データを得る。これはページメモリ８４（図３１）に記憶する。このファインスキャン中、図１０の状態になり、タッチパネル上にファインスキャン中であることを表示し、第２ＣＲＴに実際のプリントイメージを次々と表示する。
【００２８】
このようにしてインデックスプリント用の画像データがページメモリ８４（図３１）上に作成されると、これがプリンター７に送られて、プリントアウトされる。アルバム・モードの場合は、先ず図１１に示すようなフォーマット選択画面となる。フォーマット選択後、図１２に示すようなフレーム（駒）選択画面となり、このとき第２ＣＲＴには選択されたフォーマットが表示され、フレームが選択されると、選択されたフレームが第２ＣＲＴのフォーマット上に書込まれる。
【００２９】
ここでのフレームの選択は、タッチパネル上のフレーム選択ボタン（６２）により行い、いずれかのボタンの操作によりフレームが選択されると、第１ＣＲＴ上で選択されたフレームに対して枠付け（６３）を行って、選択されたことを明らかにする。すなわち、インデックス表示の中から画像が選択された際に、インデックス表示中の選択された画像の表示を他の画像の表示と異ならせて、選択されたことを明らかにするのである。また、このときは、インデックス表示を続けると共に、第２ＣＲＴ上で選択された画像の拡大表示を並行して行っている。
【００３０】
また、この選択の際、タテ位置で撮影した画像を正立させたい場合などは、図１３に示すように、タッチパネル上のフレーム選択ボタンをタッチするときに、そのボタンにおいて上にしたい部分（例えば図示Ａ領域）にタッチすれば、天地を変更できるようにする。すなわち、ボタンの右側のＡ領域にタッチした場合は画像の右側を上、左側のＢ領域にタッチした場合は画像の左側を上、下側のＣ領域にタッチした場合は画像を倒立にし、その他の領域の場合はそのままにするのである。このようにタッチした領域により天地変更の指示を同時に行うようにすれば、操作が簡単になる。
【００３１】
このようにしてアルバムのページ編集が完了すると、選択されたフレームについてファインスキャンを行って、補正処理を行いつつ、プリント用の画像データを得る。そして、ページメモリ８４（図３１）上に１ページの画像が完成すると、これをプリンター７に送って、プリントアウトする。フリーレイアウト・モードの場合は、先ず図１４に示すようなシートの向き（タテ位置６４・ヨコ位置６５）を選択する画面になる。選択後、図１５に示すようなフレーム選択画面となる。フレームが１つ選択されると、図１６に示すようなフレームサイズ（拡大縮小）及びフレーム位置の設定画面となり、サイズ設定ボタン６６によりシート上でのフレームの大きさを自由に設定でき、また位置設定ボタン６７によりシート上でのフレームの位置を自由に設定できる。複数のフレームを入れ込む場合にはこれらが繰り返され、図１７に示すように第２ＣＲＴ上に編集結果が得られる。このようにして編集が完了すると、選択されたフレームについてファインスキャンを行って、プリント用の画像データを得る。そして、これをプリンター７に送って、プリントアウトする。
【００３２】
ポストカード・モードの場合は、先ず図１８に示すようにカードタイプの選択画面になる。選択後、図１９に示すようなフレーム選択画面になり、このとき第２ＣＲＴには選択されたカードタイプが表示され、フレームが選択されると、選択されたフレームが第２ＣＲＴのカード上に書込まれる。次に図２０に示すような枠原稿の選択画面となり、枠原稿の選択によりポストカードが完成する。また、ワープロ等、外部で編集した文字、文章を入力して、合成することも可能である。このようにして編集が完了すると、選択されたフレームについてファインスキャンを行って、プリント用の画像データを得る。そして、これをプリンター７に送って、プリントアウトする。
【００３３】
カレンダー・モードの場合は、先ず図２１に示すようなカレンダータイプの選択画面になる。選択後、図２２に示すような年及び月の選択画面になる。そして、選択後、図２３に示すようなフレーム選択画面になり、このとき第２ＣＲＴには選択された選択された年月のカレンダーが表示される。そして、フレームが選択されると、選択されたフレームが第２ＣＲＴのカレンダー上に書込まれる。このようにして編集が完了すると、選択されたフレームについてファインスキャンを行って、プリント用の画像データを得る。そして、これをプリンター７に送って、プリントアウトする。
【００３４】
次に前述の各モードにおけるフレーム選択画面（図２４参照）からタッチパネル上に設定された補正ボタン（６８）の操作により行われる各種補正モードについて説明する。天地変更モードにおいては、図２５に示すように、天地方向選択ボタン（６９）を操作することにより、第２ＣＲＴ上の画像の天地を変更できる。
【００３５】
色補正モードにおいては、図２６に示すように、タッチパネル上で、ライトネス（明るさ）、コントラスト、シャープネス、サチュレーション（彩度）の調整ボタン（６９〜７２）を調整することにより、出力画像を補正できる。また、マニュアルボタン（７３）の操作により、図２７に示すようなマニュアル色補正モードに移行し、このモードでは、タッチパネル及び第１ＣＲＴ上に円座標のカラーチャート（レッド、イエロー、グリーン、シアン、ブルー、マゼンタ）が表示され、タッチパネル上で適当な位置に触れることにより色補正がなされる。
【００３６】
また、オートボタン（７４）の操作により、図２８に示すようなオートマチック色補正モードに移行し、このモードでは、補正位置指定ボタン（７５）により画像上の位置を指定し、予め定められた肌色、グレー、ブルーの目標色選択ボタン（７６）により、目標色に合わせる色変換が可能である。これは予め希望の色として出したいという場合が多い色を目標色として設定したものであって、例えば人間の肌の色を出したい場合に肌色の目標色を選択し、空の色を出したい場合にブルーの目標色を選択する。そして、画面上で目標色にしたい部分を指定することにより、簡単な操作で色修正が可能となる。
【００３７】
第１トリミングモードにおいては、図２９に示すように、トリミング枠（７９）に対するズーミングボタン（７８）と位置設定ボタン（７９）とにより、ズーミングによるトリミングが可能である。第２トリミングモードにおいては、図３０に示すように、上下左右のトリミング枠（８０）のそれぞれに対する位置設定ボタン（８１）により、任意の縦横比でトリミングが可能である。
【００３８】
以上のような補正処理は、図３１及び図３２に示す画像処理部のＣＰＵ８７が、データ変換・マトリクス演算部８６、空間フィルタ・色変換部８５を操作することによって、行われる。尚、タッチパネル、第１及び第２ＣＲＴの構成は一例であり、１台のＣＲＴに重ねて表示させ、また、マウス、トラックボール等の指示手段で作業を行ってもよい。
【００３９】
【発明の効果】
以上説明したように本発明によれば、編集可能な複数の入力画像を操作者が表示装置上で見て、選択し、加工や修正を含む編集を行うことができ、インデックス表示による画像を見ながらの編集であるため、作業が容易で、効率的となり、また操作者の意図通りの結果を得ることができる。
【００４０】
また、インデックス表示した画像のうち一連の画像の天地が逆転している場合に、１度の操作で直すことにより、作業のスピードアップが可能になる。選択する画像のみを直せばよいという場合は、画像の選択と天地変更の指示とを同時に行わせることで、操作を簡単化できる。
【００４１】また、選択した画像に各種補正を行う際に、原画像と、補正操作を行った後の画像とを同時に表示することにより、希望する最適な補正量を容易に得られる。
【図面の簡単な説明】
【図１】本発明の一実施例を示すシステム図
【図２】フィルム読取装置の構造図
【図３】フィルムホルダの斜視図
【図４】タッチパネル及びＣＲＴの表示例１を示す図
【図５】タッチパネル及びＣＲＴの表示例２を示す図
【図６】タッチパネル及びＣＲＴの表示例３を示す図
【図７】タッチパネル及びＣＲＴの表示例４を示す図
【図８】タッチパネル及びＣＲＴの表示例５を示す図
【図９】タッチパネル及びＣＲＴの表示例６を示す図
【図１０】タッチパネル及びＣＲＴの表示例７を示す図
【図１１】タッチパネル及びＣＲＴの表示例８を示す図
【図１２】タッチパネル及びＣＲＴの表示例９を示す図
【図１３】タッチパネル及びＣＲＴの表示例１０を示す図
【図１４】タッチパネル及びＣＲＴの表示例１１を示す図
【図１５】タッチパネル及びＣＲＴの表示例１２を示す図
【図１６】タッチパネル及びＣＲＴの表示例１３を示す図
【図１７】タッチパネル及びＣＲＴの表示例１４を示す図
【図１８】タッチパネル及びＣＲＴの表示例１５を示す図
【図１９】タッチパネル及びＣＲＴの表示例１６を示す図
【図２０】タッチパネル及びＣＲＴの表示例１７を示す図
【図２１】タッチパネル及びＣＲＴの表示例１８を示す図
【図２２】タッチパネル及びＣＲＴの表示例１９を示す図
【図２３】タッチパネル及びＣＲＴの表示例２０を示す図
【図２４】タッチパネル及びＣＲＴの表示例２１を示す図
【図２５】タッチパネル及びＣＲＴの表示例２２を示す図
【図２６】タッチパネル及びＣＲＴの表示例２３を示す図
【図２７】タッチパネル及びＣＲＴの表示例２４を示す図
【図２８】タッチパネル及びＣＲＴの表示例２５を示す図
【図２９】タッチパネル及びＣＲＴの表示例２６を示す図
【図３０】タッチパネル及びＣＲＴの表示例２７を示す図
【図３１】画像処理部のブロック図（その１）
【図３２】画像処理部のブロック図（その２）
【符号の説明】
１　　フィルム読取装置を兼ねる画像編集装置
２　　カセット挿入口
３　　タッチパネル
４　　第１ＣＲＴ
５　　第２ＣＲＴ
１０　　現像済みネガフィルム
１２　　フィルムホルダ
２０　　カセット
２３　　フィルムホルダ搬送装置
２５　　副走査テーブル
３１　　ランプ
３５　　ＣＣＤラインセンサ
【図１】
2004056782.tif 000003
【図２】
2004056782.tif 000004
【図３】
2004056782.tif 000005
【図４】
2004056782.tif 000006
【図５】
2004056782.tif 000007
【図６】
2004056782.tif 000008
【図７】
2004056782.tif 000009
【図８】
2004056782.tif 000010
【図９】
2004056782.tif 000011
【図１０】
2004056782.tif 000012
【図１１】
2004056782.tif 000013
【図１２】
2004056782.tif 000014
【図１３】
2004056782.tif 000015
【図１４】
2004056782.tif 000016
【図１５】
2004056782.tif 000017
【図１６】
2004056782.tif 000018
【図１７】
2004056782.tif 000019
【図１８】
2004056782.tif 000020
【図１９】
2004056782.tif 000021
【図２０】
2004056782.tif 000022
【図２１】
2004056782.tif 000023
【図２２】
2004056782.tif 000024
【図２３】
2004056782.tif 000025
【図２４】
2004056782.tif 000026
【図２５】
2004056782.tif 000027
【図２６】
2004056782.tif 000028
【図２７】
2004056782.tif 000029
【図２８】
2004056782.tif 000030
【図２９】
2004056782.tif 000031
【図３０】
2004056782.tif 000032
【図３１】
2004056782.tif 000033
【図３２】
2004056782.tif 000034